(57)【要約】【課題】現在位置周辺及び現在位置から離れたエリアの両方を好適に表示可能な地図表示装置を提供する。【解決手段】地図表示装置１は、地図を表示部１６に表示する制御部１４を備える。制御部１４は、地図上の第１地点の見下ろし角度が、第１地点より移動体から遠い第２地点の見下ろし角度よりも小さい角度となるように、地図を表示部１６に表示する。【選択図】図２
2019184866.tif 000002
【特許請求の範囲】
【請求項１】
地図を表示部に表示する表示制御部を備え、
前記表示制御部は、前記地図上の第１地点を見下ろす角度が、前記第１地点より移動体から遠い第２地点を見下ろす角度よりも小さい角度となるように、前記地図を前記表示部に表示する地図表示装置。
【請求項２】
前記表示制御部は、前記第１地点から前記第２地点までの間の各地点を見下ろす角度が、前記第１地点から前記第２地点に向かうに従って大きくなるように、連続的に変化させる請求項１に記載の地図表示装置。
【請求項３】
前記表示制御部は、前記角度を連続的に変化させる領域を含む第１領域と、前記角度を一定とした第２領域とをそれぞれ表示し、
前記第１領域は、前記第１地点を含み、
前記第２領域は、前記第２地点を含む請求項１または２に記載の地図表示装置。
【請求項４】
前記表示制御部は、前記角度を連続的に変化させる領域を含む第１領域と、前記角度が前記第１地点から離れるほど小さくなる第２領域とをそれぞれ表示し、
前記第１領域は、前記第１地点を含み、
前記第２領域は、前記第２地点を含む請求項１または２に記載の地図表示装置。
【請求項５】
前記表示制御部は、前記第１領域と前記第２領域とを繋いだ前記地図を前記表示部に表示する請求項３または４に記載の地図表示装置。
【請求項６】
前記表示制御部は、前記移動体の現在位置から離れるほど前記角度が小さくなる前記第１領域内の第３領域を設け、
前記第３領域は、前記移動体の現在位置を含み、
前記第３領域に対する前記角度は、前記第２領域に対する前記角度よりも小さい請求項３〜５のいずれか一項に記載の地図表示装置。
【請求項７】
前記表示制御部は、前記移動体の目的地、立寄地又は案内地点までの経路全体を表示するように、前記第３領域以外の領域の縮尺、面積割合又は曲率を変化させる請求項６に記載の地図表示装置。
【請求項８】
前記表示制御部は、前記第３領域には、前記移動体に備えられた検出部により検出した物体に関する情報を表示する請求項６または７に記載の地図表示装置。
【請求項９】
前記表示制御部は、前記移動体の目的地、立寄地又は案内地点の周辺を前記第２領域上に表示するように、前記地図を前記表示部に表示する請求項３〜６のいずれか一項に記載の地図表示装置。
【請求項１０】
地図表示装置が実行する制御方法であって、
地図を表示部に表示する表示制御工程を有し、
前記表示制御工程は、前記地図上の第１地点を見下ろす角度が、前記第１地点より移動体から遠い第２地点を見下ろす角度よりも小さい角度となるように、前記地図を前記表示部に表示する制御方法。
【請求項１１】
コンピュータが実行するプログラムであって、
地図を表示部に表示する表示制御部として前記コンピュータを機能させ、
前記表示制御部は、前記地図上の第１地点を見下ろす角度が、前記第１地点より移動体から遠い第２地点を見下ろす角度よりも小さい角度となるように、前記地図を前記表示部に表示するプログラム。
【請求項１２】
請求項１１に記載のプログラムを記憶した記憶媒体。
【発明の詳細な説明】
【技術分野】
【０００１】
本発明は、地図の表示技術に関する。
【背景技術】
【０００２】
従来から、地図を３次元表示や鳥瞰図により表示する技術が知られている。例えば、特許文献１には、描画オブジェクトデータから表示画面上の表示位置に応じて簡略化した描画オブジェクトを生成することで、３次元表示や鳥瞰図により表示する地図の描画負荷を調整可能な地図描画装置が開示されている。
【先行技術文献】
【特許文献】
【０００３】
【特許文献１】特開２０１４−２１９７４８号公報
【発明の概要】
【発明が解決しようとする課題】
【０００４】
鳥瞰図により地図を表示した場合、現在位置付近は経路周辺の地図が見やすいが、遠方に行くほど見づらくなるといった問題がある。一方、平面図により地図を表示した場合、表示範囲が縮尺によって制限されるため、現在位置から離れた地点を含めて表示するには縮尺を小さくする必要があり、地図に表示される現在位置周辺の情報量が小さくなるという問題がある。目的地等までの経路を表示しようとする場合には、このような問題が顕著となる。
【０００５】
本発明は、上記のような課題を解決するためになされたものであり、現在位置周辺及び現在位置から離れたエリアの両方を好適に表示可能な地図表示装置を提供することを主な目的とする。
【課題を解決するための手段】
【０００６】
請求項に記載の発明は、地図表示装置であって、地図を表示部に表示する表示制御部を備え、前記表示制御部は、前記地図上の第１地点を見下ろす角度が、前記第１地点より移動体から遠い第２地点を見下ろす角度よりも小さい角度となるように、前記地図を前記表示部に表示する。
【０００７】
また、請求項に記載の発明は、地図表示装置が実行する制御方法であって、地図を表示部に表示する表示制御工程を有し、前記表示制御工程は、前記地図上の第１地点を見下ろす角度が、前記第１地点より移動体から遠い第２地点を見下ろす角度よりも小さい角度となるように、前記地図を前記表示部に表示する。
【０００８】
また、請求項に記載の発明は、コンピュータが実行するプログラムであって、地図を表示部に表示する表示制御部として前記コンピュータを機能させ、前記表示制御部は、前記地図上の第１地点を見下ろす角度が、前記第１地点より移動体から遠い第２地点を見下ろす角度よりも小さい角度となるように、前記地図を前記表示部に表示する。
【図面の簡単な説明】
【０００９】
【図１】実施例に係る地図表示装置の概略構成である。
【図２】第１表示態様に係る概略的な地図表示を示す。
【図３】図２に示される地図表示に道路及び施設などの表示を加えた表示例である。
【図４】下側領域、中間領域、上側領域のそれぞれでの地図を表示する視点の変化を概略的に示した図である。
【図５】第２表示態様に係る概略的な地図表示を示す。
【図６】第３表示態様に係る概略的な地図表示を示す。
【図７】第４表示態様に係る概略的な地図表示を示す。
【図８】第５表示態様に係る概略的な地図表示を示す。
【図９】第６表示態様に係る概略的な地図表示を示す。
【図１０】第７表示態様に係る概略的な地図表示を示す。
【図１１】下側領域と他の領域とで表示する情報量を異ならせた場合の地図の表示例である。
【発明を実施するための形態】
【００１０】
本発明の好適な実施形態によれば、地図表示装置であって、地図を表示部に表示する表示制御部を備え、前記表示制御部は、前記地図上の第１地点を見下ろす角度が、前記第１地点より移動体から遠い第２地点を見下ろす角度よりも小さい角度となるように、前記地図を前記表示部に表示する。この態様によれば、地図上の第１地点を見下ろす角度は、第１地点より移動体から遠い第２地点を見下ろす角度より小さい角度となるため、遠方に行くほど見づらくなるといった鳥瞰図の問題を好適に解消した地図表示を行うことができる。
【００１１】
上記地図表示装置の一態様では、前記表示制御部は、前記第１地点から前記第２地点までの間の各地点を見下ろす角度が、前記第１地点から前記第２地点に向かうに従って大きくなるように、連続的に変化させる。この態様により、地図表示装置は、移動体から遠くの地点ほど平面図に近い視点位置となる滑らかな地図を表示することが可能となる。
【００１２】
上記地図表示装置の他の一態様では、前記表示制御部は、前記角度を連続的に変化させる領域を含む第１領域と、前記角度を一定とした第２領域とをそれぞれ表示し、前記第１領域は、前記第１地点を含み、前記第２領域は、前記第２地点を含む。この態様により、地図表示装置は、遠方を表示する第２領域を平面図等により好適に表示することができる。
【００１３】
上記地図表示装置の他の一態様では、前記表示制御部は、前記角度を連続的に変化させる領域を含む第１領域と、前記角度が前記第１地点から離れるほど小さくなる第２領域とをそれぞれ表示し、前記第１領域は、前記第１地点を含み、前記第２領域は、前記第２地点を含む。この態様により、地図表示装置は、遠方を表示する第２領域を鳥瞰図等により好適に表示することができる。
【００１４】
上記地図表示装置の他の一態様では、前記表示制御部は、前記第１領域と前記第２領域とを繋いだ前記地図を前記表示部に表示する。この態様により、地図表示装置は、観察者の違和感が生じないように地図を好適に表示することができる。
【００１５】
上記地図表示装置の他の一態様では、前記表示制御部は、前記移動体の現在位置から離れるほど前記角度が小さくなる前記第１領域内の第３領域を設け、前記第３領域は、前記移動体の現在位置を含み、前記第３領域に対する前記角度は、前記第２領域に対する前記角度よりも小さい。この態様により、移動体の現在位置周辺を鳥瞰図等により斜めの視点から好適に表示しつつ、移動体から離れた遠方をより平面的に表示して視認性を向上させることができる。
【００１６】
上記地図表示装置の他の一態様では、前記表示制御部は、前記移動体の目的地、立寄地又は案内地点までの経路全体を表示するように、前記第３領域以外の領域の縮尺、面積割合又は曲率を変化させる。この態様により、地図表示装置は、走行すべき経路を好適に地図上に明示することができる。
【００１７】
上記地図表示装置の他の一態様では、前記表示制御部は、前記第３領域には、前記移動体に備えられた検出部により検出した物体に関する情報を表示する。この態様により、地図表示装置は、現在位置周辺の物体の存在を好適に地図上に明示することができる。
【００１８】
上記地図表示装置の他の一態様では、前記表示制御部は、前記移動体の目的地、立寄地又は案内地点の周辺を前記第２領域上に表示するように、前記地図を前記表示部に表示する。この態様により、地図表示装置は、目標となる地点を第２領域上で常時表示し、運転を好適に補助することができる。
【００１９】
本発明に係る他の好適な実施形態では、地図表示装置が実行する制御方法であって、地図を表示部に表示する表示制御工程を有し、前記表示制御工程は、前記地図上の第１地点を見下ろす角度が、前記第１地点より移動体から遠い第２地点を見下ろす角度よりも小さい角度となるように、前記地図を前記表示部に表示する。地図表示装置は、この制御方法を実行することで、遠方に行くほど見づらくなるといった鳥瞰図の問題を好適に解消した地図表示を行うことができる。
【００２０】
本発明に係る他の好適な実施形態では、コンピュータが実行するプログラムであって、地図を表示部に表示する表示制御部として前記コンピュータを機能させ、前記表示制御部は、前記地図上の第１地点を見下ろす角度が、前記第１地点より移動体から遠い第２地点を見下ろす角度よりも小さい角度となるように、前記地図を前記表示部に表示する。コンピュータは、このプログラムを実行することで、遠方に行くほど見づらくなるといった鳥瞰図の問題を好適に解消した地図表示を行うことができる。好適には、上記プログラムは、記憶媒体に記憶される。
【実施例】
【００２１】
以下、図面を参照して本発明の好適な実施例について説明する。以後において、「地図」とは、従来の経路案内用の車載機が参照するデータに加えて、ＡＤＡＳ（Ａｄｖａｎｃｅｄ  Ｄｒｉｖｅｒ  Ａｓｓｉｓｔａｎｃｅ  Ｓｙｓｔｅｍ）や自動運転に用いられるデータも含むものとする。
【００２２】
［地図表示装置の構成］
図１は、本実施例における地図表示装置１の概略構成図を示す。地図表示装置１は、車両内で使用される据置型又は携帯型の表示装置であって、主に、通信部１１と、記憶部１２と、入力部１３と、制御部１４と、車両に設けられたセンサ部７と電気的に接続するインターフェース１５と、表示部１６と、音出力部１７とを有する。地図表示装置１内の各要素は、バスライン１９を介して相互に接続されている。
【００２３】
通信部１１は、制御部１４の制御に基づきデータ通信を行う。例えば、通信部１１は、センサ部７の出力に基づき検出された物体等に関する情報を、データの収集及び配信を行うサーバ装置へ送信したり、現在位置周辺のエリアに対応する地図データなどを、上述のサーバ装置から受信したりする。また、通信部１１は、車両を制御するための制御信号を車両に送信する処理、車両の状態に関する信号を車両から受信する処理、及び車車間通信による他車両とのデータの送受信処理などを行ってもよい。
【００２４】
記憶部１２は、制御部１４が実行するプログラムや、制御部１４が所定の処理を実行する為に必要な情報を記憶する。本実施例では、記憶部１２は、地図ＤＢ４と、センサデータキャッシュ６とを記憶する。地図ＤＢ４は、例えば、道路データ、施設データ、及び地物情報などを含むデータベースである。道路データには、経路探索用の車線ネットワークデータ、道路形状データ、交通法規データなどが含まれる。地物情報は、道路標識等の看板や停止線等の道路標示、センターライン等の道路区画線や道路沿いの構造物等の情報を含む。また、地物情報は、自車位置推定に用いるための地物の高精度な点群情報などを含んでもよい。地図ＤＢ４は、通信部１１により図示しないサーバ装置から受信する更新データに基づき適宜更新が行われてもよい。センサデータキャッシュ６は、センサ部７の出力データ（所謂生データ）を一時的に保持するキャッシュメモリである。
【００２５】
入力部１３は、ユーザが操作するためのボタン、タッチパネル、リモートコントローラ、音声入力装置等であり、例えば、目的地などの経路探索の条件を指定する入力、自動運転のオン及びオフを指定する入力などを受け付け、生成した入力信号を制御部１４へ供給する。
【００２６】
インターフェース１５は、センサ部７の出力データを制御部１４やセンサデータキャッシュに供給するためのインターフェース動作を行う。センサ部７は、ライダ７１やカメラ７２などの車両の周辺環境を認識するための複数の外界センサと、ＧＰＳ受信機７３、ジャイロセンサ７４、加速度センサ７５、速度センサ７６などの内界センサを含む。ライダ７１は、外界に存在する物体までの距離を離散的に測定し、当該物体の表面を３次元の点群として認識し、点群データを生成する。カメラ７２は、車両から撮影した画像データを生成する。なお、センサ部７は、図１に示した外界センサ及び内界センサ以外の任意の外界センサ及び内界センサを有してもよい。例えば、センサ部７は、外界センサとして、超音波センサ、赤外線センサ、マイクなどを含んでもよい。ライダ７１やカメラ７２などの外界センサは、本発明における「検出部」の一例である。
【００２７】
表示部１６は、制御部１４の制御に基づき、目的地までの経路を示した地図及び運転を補助する情報などを表示する。音出力部１７は、制御部１４の制御に基づき、運転を支援する案内音声などを出力する。
【００２８】
制御部１４は、所定のプログラムを実行するＣＰＵなどを含み、地図表示装置１の全体を制御する。例えば、制御部１４は、入力部１３により入力された目的地への経路を示した地図を表示部１６に表示する。この場合、制御部１４は、後述するように、地図を内側に曲げて曲面状に表示する図法（「曲面図」とも呼ぶ。）を用いることで、現在位置周辺を表示しつつ、目的地周辺や次の案内地点付近などの遠方エリアを良好に表示した地図を表示する。制御部１４は、表示制御部及びプログラムを実行するコンピュータ等として機能する。
【００２９】
［地図表示］
次に、本実施例において制御部１４が表示部１６に表示させる地図の表示例について説明する。制御部１４は、少なくとも一部の領域を曲面図により表示することで、現在位置周辺のエリアと遠方エリアとの両方を好適に地図上に表示させる。以下では、この表示例について、第１表示態様〜第７表示態様に分類してそれぞれ説明する。なお、制御部１４は、以下に説明する表示態様のいずれを採用して地図を表示するかを、入力部１３によるユーザ入力に基づき決定してもよく、各表示態様に対して実行するための条件を予め定めておき、当該条件が満たされた表示態様を自動的に実行してもよい。
【００３０】
（第１表示態様）
第１表示態様では、制御部１４は、現在位置と目的地とが画面上に表示されるように地図を表示する。
【００３１】
図２は、表示部１６により表示される第１表示態様に係る概略的な地図表示を示す。図２では、制御部１４は、現在位置を示す現在位置マーク３０と、目的地を示す目的地マーク３１と、現在位置から目的地までの経路を示す経路線Ｒｔとを地図上に表示している。なお、破線は、実際には表示されない仮想的な線であって、地上を２次元座標とみなした場合の各座標軸において等しい位置を等間隔により示した線（例えば緯線及び経線）である。図３は、図２の表示に道路及び施設などの表示を加えた具体的な表示例である。
【００３２】
ここで、制御部１４は、画面の下側に位置する領域（「下側領域」とも呼ぶ。）と、画面の上側に位置する領域（「上側領域」とも呼ぶ。）と、これらの間の領域（「中間領域」とも呼ぶ。）とで、地図の表示方法を異ならせている。具体的には、制御部１４は、現在位置の周辺を表示する下側領域を鳥瞰図により表示し、中間領域を曲面図により表示し、目的地周辺を表示する上側領域を平面図又は平面図に近い視点となる図により表示している。このように、下側領域、中間領域、及び上側領域のそれぞれにおいて、地図を表示する視点が異なっている。各領域での地図の視点については、図４を参照して後述する。
【００３３】
そして、現在位置付近を表示する下側領域については、縮尺が実質的に最も大きくなっており、上側領域についても、平面図又は平面図に近い視点となる図により地図が表示されるため、俯瞰的に見ることができる。一方、曲面図により表示された中間領域では、縮尺が実質的に最も小さくなり、簡略的に地図が表示されている。このように、図２及び図３の表示例では、下側領域に表示される現在位置周辺及び上側領域に表示される現在位置から遠方のエリアについて好適に視認可能な地図表示となっている。また、下側領域と中間領域との境界、及び、中間領域と上側領域の境界では、それぞれの領域が滑らかに繋がり、継ぎ目が発生していないため、見た目上の違和感が生じない。下側領域及び中間領域は、本発明における「第１領域」の一例であり、上側領域は、本発明における「第２領域」の一例であり、下側領域は、本発明における「第３領域」の一例である。
【００３４】
そして、第１表示態様では、制御部１４は、現在位置を示す現在位置マーク３０の位置を固定し、かつ、目的地を示す目的地マーク３１を地図上に表示している。この時、制御部１４は、好適には、現在位置と目的地とが画面横方向の中央に位置するように縦（垂直）に並べ、可能な限りその位置関係を保って表示し続ける。このように、現在位置マーク３０の位置を固定することで、運転者に自車位置を探させる手間を省く。同様に、現在位置と目的地とが画面横方向の中央に位置するように垂直に並べることで、運転者に画面上における目的地の位置を容易に把握させる。また、好適には、制御部１４は、現在位置マーク３０の向きが画面上方向と所定角度（例えば４５°）差以内となるように地図を表示する。このようにすることで、現在位置マーク３０がある程度前方を向いているように表示が保たれるため、運転者にとって違和感が生じにくい地図表示を行うことができる。このとき、例えば、制御部１４は、現在位置マーク３０の位置を固定することを１番目の優先事項（最優先事項）とし、現在位置マーク３０の向きを画面上方向と所定角度差以内とすることを２番目の優先事項とし、目的地マーク３１を地図上に表示すること及び現在位置と目的地とを画面上にて縦に並べることを３番目の優先事項として地図を表示する。
【００３５】
さらに好適には、第１表示態様では、制御部１４は、現在位置から目的地までの経路を示す経路線Ｒｔの全体を表示するように表示部１６上に地図を表示する。図２及び図３の例では、制御部１４は、上側領域に目的地が存在し、かつ、経路線Ｒｔの全体が画面内に表示されるように、地図を表示している。例えば、制御部１４は、現在位置から目的地までの経路全体を表示することを、上述した１番目から３番目の優先事項に続く４番目の優先事項として地図を表示する。
【００３６】
そして、制御部１４は、センサ部７の出力に基づき特定した現在位置の移動に応じて、地図の表示を更新する。地図の表示更新に関する第１の例では、制御部１４は、車両が目的地に近付くに従い、現在位置マーク３０を下側領域上に表示したまま、地図全体を画面の上から下に向けてスクロールさせる。この場合、車両が目的地に近付くに従い、目的地マーク３１は、上側領域の中心位置から徐々に画面下方に移動し、下側領域に表示された現在位置マーク３０に近付く。
【００３７】
地図の表示更新に関する第２の例では、制御部１４は、現在位置マーク３０を下側領域に固定し、かつ、目的地マーク３１を上側領域に固定したまま、経路線Ｒｔの全体が画面内に表示されるように地図を表示する。この場合、例えば、制御部１４は、車両が目的地に近付くほど地図の縮尺が大きくなるように、下側領域以外の領域の地図の縮尺を段階的又は連続的に変更する。なお、この場合、制御部１４は、下側領域の縮尺等については変更しないことで、現在位置付近の表示が頻繁に変わることに起因した違和感の発生を抑制する。他の例では、制御部１４は、車両が目的地に近付くに従い、中間領域における曲面図の曲率を段階的又は連続的に変更する。さらに別の例では、制御部１４は、車両が目的地に近付くに従い、中間領域の面積割合を段階的又は連続的に変更する。例えば、制御部１４は、現在位置が目的地に近付くほど、中間領域の面積（即ち画面上下方向における幅）を小さくする。そして、制御部１４は、目的地までの距離が所定距離以内となった場合、第１の例と同様に、車両が目的地に近付くに従い、現在位置マーク３０を下側領域上に表示したまま、地図全体を画面の上から下に向けてスクロールさせる。
【００３８】
このように、第１表示態様では、制御部１４は、現在位置周辺を大縮尺により表示しつつ、現在位置から目的地までの経路の全体を表示部１６の観察者に好適に視認させることができる。
【００３９】
図４は、下側領域、中間領域、上側領域のそれぞれでの地図を表示する視点「Ｐｅ」の変化を概略的に示した図である。図４では、表示部１６の画面上に表示される対象となるエリアである表示対象エリア「Ｄｔａｇ」と、表示対象エリアＤｔａｇ内の各地点「Ｐ１」〜「Ｐ７」に対する視点Ｐｅからの見下ろし角度「θ１」〜「θ７」が示されている。なお、「見下ろし角度」とは、視点Ｐｅと当該視点から見下ろす地点とを結ぶ線が水平線に対してなす角度を指すものとし、平面図（視点Ｐｅが真上）により表された各地点に対する見下ろし角度は９０°となり、鳥瞰図（視点Ｐｅが斜め上）により表された各地点に対する見下ろし角度は９０°未満の角度となる。
【００４０】
図４に示すように、鳥瞰図により表される下側領域では、中間領域に近付くほど見下ろし角度が大きくなる。例えば、下側領域と中間領域との境界地点である地点Ｐ２の見下ろし角度θ２は、現在位置に近い地点Ｐ１における見下ろし角度θ１よりも大きい。また、上側領域の地点Ｐ７の見下ろし角度θ７は、下側領域及び中間領域の各地点での見下ろし角度θ１〜θ６よりも大きくなる。なお、上側領域が平面図により表される場合には、上側領域の各地点での見下ろし角度は全て９０°となる。
【００４１】
一方、曲面図により表された中間領域では、任意の２つの地点のうち下側領域に近い地点を第１地点とし、上側領域に近い地点を第２地点とすると、第１地点から第２地点までの各点を見下ろし角度は、第１地点から第２地点に向かうに従って大きくなる。例えば、第１地点を地点Ｐ４、第２地点を地点Ｐ５とした場合、地点Ｐ４から地点Ｐ５までの各地点の見下ろし角度は、第１地点から第２地点に向かうに従って角度θ４から角度θ５に向かって徐々に大きくなる。
【００４２】
また、下側領域と中間領域との境界付近、及び、中間領域と上側領域の境界付近においても、見下ろし角度が連続的に変化する。これにより、それぞれの領域が滑らかに繋がり、継ぎ目が発生しない。これにより、現在位置周辺の領域と遠方の領域とを、観察者に違和感を生じさせることなく好適に地図上に表示させることができる。
【００４３】
なお、制御部１４は、立寄地が設定されている場合には、目的地を画面上に表示する代わりに、立寄地が画面上に表示されるように地図を表示してもよい。
【００４４】
（第２表示態様）
第２表示態様では、制御部１４は、目的地までの経路上において次に案内が必要な地点（「次案内地点」とも呼ぶ。）までの経路の全体が常に画面上に表示されるように地図を表示する。これにより、制御部１４は、次に案内が必要な地点である次案内地点までの経路を好適に観察者に視認させる。
【００４５】
図５（Ａ）は、表示部１６により表示される第２表示態様に係る概略的な地図表示を示す。図５（Ａ）では、制御部１４は、現在位置を示す現在位置マーク３０と、次案内地点を示す案内地点マーク３２と、経路線Ｒｔとを地図上に表示している。
【００４６】
図５（Ａ）では、制御部１４は、図２に示す第１表示態様の表示例と同様、現在位置周辺を表す下側領域を鳥瞰図、次案内地点の周辺を表す上側領域を平面図又は鳥瞰図、中間領域を曲面図により表示している。そして、制御部１４は、第１表示態様と同様、画面の下から上への位置の変化と共に、見下ろし角度を連続的に大きくすることで、各領域を滑らかに繋げて表示する。
【００４７】
また、第２表示態様では、制御部１４は、目的地までの経路のうち、現在位置から次案内地点までの経路全体を表示するように経路線Ｒｔを重ねた地図を表示部１６上に表示する。そして、制御部１４は、センサ部７の出力に基づき特定した現在位置の移動に応じて、地図の表示を更新する。
【００４８】
図５（Ｂ）は、図５（Ａ）の状態から所定距離だけ車両が走行したときの概略的な地図表示を示す。この場合、制御部１４は、車両が次案内地点に近付くに従い、地図全体を画面の上から下に向けてスクロールさせることで、地図上の次案内地点を徐々に現在位置に近付ける。この場合、車両が次案内地点に近付くに従い、案内地点マーク３２は、上側領域の中心位置から徐々に画面下方に移動し、図５（Ｂ）では、中間領域内に表示されている。そして、制御部１４は、次案内地点を通過した場合、当該次案内地点の次に通過する案内地点を次案内地点として定め、図５（Ａ）の表示例と同様、新たな次案内地点を上側領域の中央に表示し、かつ、新たな次案内地点までの経路全体が表示されるように経路線Ｒｔを重ねた地図を表示部１６上に表示する。
【００４９】
なお、制御部１４は、次案内地点までの距離が所定距離以上の場合、現在位置マーク３０を下側領域に固定し、かつ、案内地点マーク３２を上側領域に固定したまま、次案内地点までの経路全体が画面内に表示されるように地図を表示してもよい。この場合、制御部１４は、例えば、第１表示形態において説明したように、現在位置が次案内地点に近付くに従い、下側領域以外の地図の縮尺、中間領域の面積割合、中間領域の曲率の少なくともいずれかを変化させる。そして、制御部１４は、次案内地点までの距離が所定距離未満となった場合には、図５（Ｂ）の表示例と同様に、現在位置が次案内地点に近付くに従い、地図全体を画面の上から下に向けてスクロールさせることで、地図上の次案内地点を徐々に現在位置に近付ける。
【００５０】
このように、第２表示態様によれば、制御部１４は、次案内地点での進行方向や次案内地点までの経路を好適に観察者に視認させることができる。なお、第１表示態様と同様に、制御部１４は、現在位置マーク３０の位置を固定することを１番目の優先事項とし、現在位置マーク３０の向きを画面上方向と所定角度差以内とすることを２番目の優先事項とし、次案内地点を地図上に表示すること及び現在位置と次案内地点とを画面上にて縦に並べることを３番目の優先事項とし、次案内地点までの経路全体を表示することを４番目の優先事項として地図を表示してもよい。
【００５１】
（第３表示態様）
第３表示態様では、制御部１４は、所定の条件を満たすＰＯＩ（Ｐｏｉｎｔ  ｏｆ  Ｉｎｔｅｒｅｓｔ）が常に画面上に表示されるように地図を表示する。これにより、制御部１４は、観察者が関心ある（即ち立寄る可能性がある）地点と現在位置との位置関係を好適に明示する。ここで、上述の所定の条件を満たすＰＯＩ（「常時表示ＰＯＩ」とも呼ぶ。）は、例えば、ユーザが指定したジャンルに該当する施設のうち経路から所定距離以内に存在する施設、お気に入りの施設として指定されている施設のうち経路から所定距離以内に存在する施設、車両の状態（例えば燃料状態や充電状態）や車両の走行履歴（例えば過去の立寄地）等に基づき制御部１４が決定したお薦めの施設などが該当する。
【００５２】
図６は、表示部１６により表示される第３表示態様に係る概略的な地図表示を示す。図６では、制御部１４は、ユーザが指定したジャンル「レストラン」に該当する施設のうち経路から所定距離以内に存在する２つの施設を常時表示ＰＯＩとみなす。そして、制御部１４は、これらの施設の位置を含むように表示対象エリアを設定し、常時表示ＰＯＩの位置をそれぞれ指し示すマーク３３及びマーク３４を地図上に表示する。この場合、制御部１４は、北の方角を上にするノースアップや、車両の進行方向を上にするヘディングアップの各設定では常時表示ＰＯＩが非表示となる可能性があるため、これらの各設定によらずに表示対象エリアを定める。例えば、制御部１４は、常時表示ＰＯＩの平均緯度と平均経度とを画面中央に合わせ、かつ、全ての常時表示ＰＯＩが表示態様エリア内となるように地図の縮尺等を設定する。
【００５３】
なお、制御部１４は、常時表示ＰＯＩと定めたＰＯＩのうち、車両が通り過ぎることにより立寄る可能性が低くなったＰＯＩについては常時表示ＰＯＩから順次除外してもよい。例えば、制御部１４は、常時表示ＰＯＩとして定めたＰＯＩに最も近い経路上の地点を車両が通過した場合には、当該ＰＯＩを常時表示ＰＯＩから除外してもよい。
【００５４】
また、図６では、制御部１４は、図２に示す第１表示態様の表示例及び図５に示す第２表示態様の表示例と同様、現在位置周辺を表す下側領域を鳥瞰図、次案内地点の周辺を表す上側領域を平面図又は鳥瞰図、中間領域を曲面図により表示している。そして、第１表示態様と同様、画面の下から上への位置の変化と共に、見下ろし角度を連続的に大きくすることで、各領域を滑らかに繋げて表示する。これにより、現在位置周辺を大きく表示しつつ、現在位置から離れた地点についても好適に画面上に表示することができる。
【００５５】
なお、第３表示態様は、第１表示態様と組合せてもよい。この場合、制御部１４は、目的地と常時表示ＰＯＩが常に画面上に表示されるように地図を表示する。
【００５６】
（第４表示態様）
第４表示態様では、制御部１４は、ジャンクションやインターチェンジなどのランプ（傾斜路）が設けられた地点を通過する経路が設定されている場合、次に通過するランプが常に画面上に表示されるように地図を表示する。
【００５７】
図７は、表示部１６により表示される第４表示態様に係る概略的な地図表示を示す。図７では、制御部１４は、設定された経路上にランプ３９が存在することを認識し、ランプ３９及びランプ３９までの経路を表示するように経路線Ｒｔを重ねた地図を表示部１６上に表示する。ここでは、車両が走行中の道路３８と道路３８がランプ３９により接続する道路４０とが経路線Ｒｔに重ねられた状態で地図上に表示されている。また、図７では、制御部１４は、現在位置周辺を表す下側領域を鳥瞰図、ランプ３９を含むエリアを表す上側領域を平面図又は平面図に近い視点となる図、中間領域を曲面図により表示している。これにより、現在位置周辺を大きく表示しつつ、ランプ３９の周辺状況についても好適に画面上に表示させている。そして、制御部１４は、センサ部７の出力に基づき特定した車両の現在位置の移動に応じて、地図の表示を更新する。
【００５８】
この場合、制御部１４は、第１表示態様における目的地と同様、最初に上側領域にランプ３９を表示させた後、車両がランプ３９に近付くに従い、地図全体を画面の上から下に向けてスクロールさせることで、下側領域に表示された現在位置マーク３０に地図上のランプ３９を徐々に近付ける。そして、制御部１４は、車両がランプ３９を通過した場合、当該ランプ３９の次に通過するランプが存在する場合には、当該次のランプを基準として同様の地図表示を行う。一方、制御部１４は、ランプ３９の次に通過するランプが存在しない場合、他の表示態様による地図表示に切り替える。なお、制御部１４は、ランプ３９までの距離が所定距離以上離れている場合には、現在位置マーク３０を下側領域に固定し、かつ、ランプ３９を上側領域に固定したまま、ランプ３９及びランプ３９までの経路全体が画面内に表示されるように地図を表示してもよい。
【００５９】
（第５表示態様）
第５表示態様では、制御部１４は、駐車場における所定の駐車位置が目的地として設定されている場合、目的の駐車位置までの経路及び駐車場全体が常に画面上に表示されるように地図を表示する。
【００６０】
図８は、表示部１６により表示される第５表示態様に係る概略的な地図表示を示す。図８の例では、制御部１４は、駐車場４１内の所定の駐車位置が目的地として設定されていることを認識し、設定された駐車位置までの経路全体及び駐車場４１の全体を表示するように経路線Ｒｔを重ねた地図を表示部１６上に表示する。また、図８では、制御部１４は、現在位置周辺を表す下側領域を鳥瞰図、駐車場４１を含むエリアを表す上側領域を平面図又は平面図に近い視点となる図、中間領域を曲面図により表示している。これにより、現在位置周辺を大きく表示しつつ、現在位置から離れた駐車場４１付近での駐車位置への詳細な経路等についても好適に画面上に表示させている。
【００６１】
なお、制御部１４は、第５表示態様による表示を、目的地である駐車場４１に所定距離以内に近付いた場合に実行してもよい。この場合、制御部１４は、駐車場４１に所定距離以内に近付いた場合に、図８に示すように、上側領域の中央部分に駐車場４１全体が表示されるように地図を表示する。そして、制御部１４は、センサ部７の出力に基づき特定した車両の現在位置の移動に応じて、地図の表示を更新する。例えば、制御部１４は、第１表示態様における目的地と同様、最初に上側領域に駐車場４１を表示させた後、車両が駐車場４１に近付くに従い、地図全体を画面の上から下に向けてスクロールさせることで、下側領域に表示された現在位置マーク３０に地図上の駐車場４１を徐々に近付ける。
【００６２】
第５表示態様によれば、駐車場付近での経路を好適に運転者に事前把握させることができる。
【００６３】
（第６表示態様）
第６表示態様では、制御部１４は、画面を横方向に３分割した左側領域、中間領域、右側領域にそれぞれ適切な地図の図法を適用することで、目的地又は次案内地点までの経路全体が常に画面上に表示されるように地図を表示する。
【００６４】
図９は、表示部１６により表示される第６表示態様に係る概略的な地図表示を示す。図９の例では、制御部１４は、ヘディングアップにより目的地までの経路全体を地図上に表示する場合に、画面の横方向に左側領域、中間領域、右側領域をそれぞれ設定し、左側領域を鳥瞰図、中間領域を曲面図、右側領域を平面図又はこれに近い視点となる図により地図を表示している。そして、制御部１４は、第６表示態様では、画面の左から右への位置の変化と共に、見下ろし角度を大きくする。
【００６５】
この例によれば、制御部１４は、画面の横方向に長い経路を表示する場合であっても、極端に横に長い経路線Ｒｔを小縮尺の地図上に表示させることなく、縦方向及び横方向の長さの比率が好適な経路線Ｒｔを地図上に表示させて視認性を向上させることができる。この場合、例えば、制御部１４は、車両の左右方向における目的地までの距離が車両の進行方向における目的地までの距離の所定倍以上である場合に、第６表示態様による表示を行う。
【００６６】
なお、制御部１４は、目的地までの経路全体を地図上に表示する場合に限らず、次案内地点又は立寄地までの経路全体を示す地図を画面上に表示させる場合であっても同様に、第６表示態様により地図を表示してもよい。左側領域及び中間領域は、本発明における「第１領域」の一例であり、右側領域は、本発明における「第２領域」の一例であり、左側領域は、本発明における「第３領域」の一例である。
【００６７】
（第７表示態様）
第７表示態様では、制御部１４は、中間領域と上側領域の組を複数設けた地図を表示する。
【００６８】
図１０は、表示部１６により表示される第７表示態様に係る概略的な地図表示を示す。図１０の例では、制御部１４は、画面下から順に、下側領域、第１中間領域、第１上側領域、第２中間領域、及び第２上側領域をそれぞれ設けている。そして、制御部１４は、画面中央付近の第１上側領域内に次案内地点を示す案内地点マーク３２を表示すると共に、画面上側付近の第１上側領域内に目的地を示す目的地マーク３１を表示し、目的地までの経路全体を示す経路線Ｒｔを地図上に表示させている。
【００６９】
そして、制御部１４は、センサ部７の出力に基づき特定した現在位置の移動に応じて、地図の表示を更新する。例えば、制御部１４は、車両の進行と共に、地図全体を画面の上から下に向けてスクロールさせることで、地図上の目的地マーク３１及び案内地点マーク３２を徐々に下側領域の現在位置マーク３０に近付ける。
【００７０】
他の例では、制御部１４は、案内地点マーク３２が示す地点に所定距離以内に近付くまで、下側領域以外の領域での縮尺、面積比率又は曲率等を調整することで、目的地マーク３１が示す目的地を第２上側領域内に固定し、案内地点マーク３２が示す地点を第１上側領域内に固定してもよい。なお、案内地点マーク３２が示す地点に車両が所定距離以内に近付いた場合には、制御部１４は、車両の進行と共に地図を画面の上から下に向けてスクロールさせることで案内地点マーク３２を徐々に現在位置マーク３０に近付ける。そして、制御部１４は、案内地点マーク３２が示す地点の通過後には、中央付近の第１上側領域に新たな次案内地点の地点を表示させる。
【００７１】
なお、図１０の表示例に代えて、制御部１４は、次案内地点の代わりに立寄地を第１上側領域に表示させてもよい。同様に、制御部１４は、目的地の代わりに立寄地を第２上側領域に表示させてもよい。
【００７２】
次に、上述の第１表示態様〜第７表示態様に共通する表示について補足説明する。制御部１４は、現在位置周辺の地図を表示する下側領域（第６表示態様では左側領域）では情報量が多い詳細な表示を行い、他の領域では情報量が少ない簡略的な表示を行ってもよい。
【００７３】
図１１は、下側領域と他の領域とで表示する情報量を異ならせた場合の地図の表示例である。図１１では、一例として、制御部１４は、目的地までの経路を示す経路線Ｒｔを地図上に表示させると共に、ユーザが指定したジャンル（ここではレストラン）に対応する施設を表示している。
【００７４】
図１１に示すように、制御部１４は、現在位置周辺を表示する下側領域では、地図ＤＢ４及びセンサデータキャッシュ６等に基づき、詳細な地図を表示している。具体的には、制御部１４は、車線を明示した道路４１、４２を表示すると共に、信号表示４４、標識４５、障害物（ここでは歩行者）４６などを表示している。なお、制御部１４は、信号表示４４、標識４５、障害物４６をセンサ部７の検出結果に基づいて表示してもよく、他車両による検出結果が反映された地図ＤＢ４を参照することで表示してもよい。また、制御部１４は、下側領域内に存在するレストラン「○×レストラン」の所在地及び名称を示したマーク４３を、当該レストランの位置に重ねて表示している。
【００７５】
一方、制御部１４は、中間領域及び上側領域では、簡略的な地図を表示する。図１１では、制御部１４は、車線を明示しない簡略的な道路を表示すると共に、ユーザが指定したジャンルに対応する施設の所在地を示すマーク４７、４８を表示している。そして、制御部１４は、中間領域及び上側領域では、下側領域では表示していた信号表示、標識、障害物などの表示を省略している。
【００７６】
このように、図１１の表示例によれば、制御部１４は、現在位置周辺の情報を好適にユーザに提示しつつ、画面全体の表示が煩雑化するのを好適に抑制することができる。
【００７７】
以上説明したように、本実施例に係る地図表示装置１は、地図を表示部１６に表示する制御部１４を備える。制御部１４は、地図上の第１地点の見下ろし角度が、第１地点より移動体から遠い第２地点の見下ろし角度よりも小さい角度となるように、地図を表示部１６に表示する。これにより、地図表示装置１は、現在位置周辺のエリアと遠方のエリアとを好適に地図上に表示させることができる。
【００７８】
［変形例］
制御部１４は、下側領域、中間領域、上側領域を全て設ける代わりに、下側領域又は上側領域の少なくとも一方を設けなくともよい。例えば、制御部１４は、下側領域と中間領域のみを設け、現在位置周辺を下側領域に表示し、その他のエリアを中間領域に表示してもよい。他の例では、制御部１４は、中間領域と上側領域のみを設け、目的地などの遠方のエリアを上側領域に表示し、現在位置周辺を含む他のエリアを中間領域に表示してもよい。さらに別の例では、制御部１４は、地図全体を曲面図により表示してもよい。
【００７９】
[変形例２]
実施例では、領域を固定して地図全体をスクロールさせるようにしたが、目的地や立ち寄り地、案内地までの距離によって適宜領域を制御してもよい。例えば、目的地に近づくにつれ平面表示となるように見下ろし角度を大きくするようにしてもよい。
【００８０】
表示視点についても、図３のように鳥瞰部分に対して横からの視点としてもよいし、曲面部分にねじりを与えて表示してもよい。
【符号の説明】
【００８１】
１  地図表示装置
４  地図ＤＢ
６  センサデータキャッシュ
１１  通信部
１２  記憶部
１３  入力部
１４  制御部
１５  インターフェース
１６  表示部
１７  音出力部
【図１】
2019184866.tif 000003
【図２】
2019184866.tif 000004
【図３】
2019184866.tif 000005
【図４】
2019184866.tif 000006
【図５】
2019184866.tif 000007
【図６】
2019184866.tif 000008
【図７】
2019184866.tif 000009
【図８】
2019184866.tif 000010
【図９】
2019184866.tif 000011
【図１０】
2019184866.tif 000012
【図１１】
2019184866.tif 000013